(57)【要約】【課題】  人為的に鮎竿を保持することなく、自由に両手を使って囮や仕掛けの取換えを行い得る釣り竿を提供する。【解決手段】  尻栓１に紐状体７を取り付け、紐状体７のリング部7Ｂを後向きに突出させている。釣り用ベストに連結係止片が設けてある。この連結係止片を紐状体７のリング部７Ｂに連結することによって、釣り用ベストに尻栓１、牽いては、鮎竿Ａを連結保持することができる。【選択図】        図１
2008011817.tif 000002
【特許請求の範囲】
【請求項１】
穂先竿の先端に釣り糸連結具を有する釣り竿であって、釣り人が身に付ける釣り用装着体の被保持部に連結されて、釣り竿を前記釣り人に保持させる保持部を、尻栓を含む竿元側端部に設けてある釣り竿。
【請求項２】
尻栓を硬質本体に軟性の被覆体を装着して構成するとともに、前記保持部を前記硬質本体に設けてある請求項１記載の釣り竿。
【請求項３】
前記保持部が、係止孔であり、請求項１又は２記載の釣り竿。
【請求項４】
前記保持部が、前記釣り用装着体に吸着する吸盤である請求項１又は２記載の釣り竿。
【発明の詳細な説明】
【技術分野】
【０００１】
本発明は、穂先竿の先端に釣り糸連結具を有する鮎竿や渓流竿等の釣り竿に関する。
【背景技術】
【０００２】
鮎竿用尻栓等は、元竿の竿尻端開口を閉塞する等の栓としての機能を発揮するだけのものに形成されていた（特許文献１参照）。
【０００３】
【特許文献１】特開２００３−２５９７６９号公報（段落番号〔０００８〕、及び、図１）
【発明の開示】
【発明が解決しようとする課題】
【０００４】
ところで、鮎釣りにおいては次ぎのような課題が提示されている。
つまり、釣り人が川の流れの中に立ちこんで釣りを行っている場合に、囮や仕掛けをその場で取り換える必要がある。その場合に鮎竿Ａの取扱いが問題となる。現状では、元竿を肩に掛け、中竿及び穂先竿を下流方向に向けて川に浮かせ、両手を自由にした状態を確保して、囮や仕掛けを取り換えることを行っていた。
また、別の方法としては、穂先を上に元竿を下にする縦向き姿勢に竿を立てた状態で、元竿を肩に掛け、片方の腕を元竿のグリップ部分を上から押さえる状態に掛けて又は竿を首にあてがった状態で鮎竿の姿勢を確保し、両手を自由に使える状態にして、囮や仕掛けを取り換えることを行っていた。
しかし、いずれにしても、肩に掛けた元竿に対しては、肩を持上げてその肩で元竿を首に押し付けて固定する必要があり、確かに、両手を自由にできる面はあるが、釣り竿を保持する点に意を配することが必要であり、その為に釣り人の姿勢も肩を持上げる窮屈なものと成らざるを得なかった。
【０００５】
本発明の目的は、人為的に釣り竿を保持することなく、自由に両手を使って囮や仕掛けの取換えを行い得る釣り竿を提供する点にある。
【課題を解決するための手段】
【０００６】
〔構成〕
請求項１に係る発明の特徴構成は、釣り人が身に付ける釣り用装着体の被保持部に連結されて、釣り竿を前記釣り人に保持させる保持部を、尻栓を含む竿元側端部に設けてある点にあり、その作用効果は次の通りである。
【０００７】
〔作用〕
竿元側端部に設けた保持部を釣り用装着体の被保持部に作用させることによって、釣り竿を釣り用装着体に保持でき、牽いては、その釣り用装着体を身に付けた釣り人に釣り竿を保持できる。
したがって、釣り人は従来のように、元竿を肩に掛け首を竿にあてがった状態で釣り竿を保持する必要がなく、かつ、両手を自由に使用することができる。
【０００８】
〔効果〕
このように、竿元側端部に保持部を設けるだけの簡単な改良を加えるだけで、釣り人が人為的に釣り竿を保持する負担を無くすことができたのであり、釣り竿の処理に苦慮する、川の流れの中に立ちこんで釣りを行う場合であっても、囮や仕掛けの取換えを一層容易に行い得ることとなった。
【０００９】
請求項２に係る発明の特徴構成は、請求項１に係る発明において、尻栓を硬質本体に軟性の被覆体を装着して構成して構成するとともに、前記保持部を前記硬質本体に設けてある点にあり、その作用効果は次の通りである。
【００１０】
〔作用効果〕
つまり、釣り竿を保持することとなる保持部を、尻栓のうちの強度の高い硬質本体に設けてあるので、釣り竿を保持する機能を長期に亘って安定して発揮することができる。
【００１１】
請求項３に係る発明の特徴構成は、請求項１に係る発明において、前記保持部が、係止孔である点にあり、その作用効果は次の通りである。
【００１２】
〔作用効果〕
保持部として簡単な構造のものである係止孔を設けるだけでよく、保持部として複雑な構成を採る必要がなくなった。
【００１３】
請求項４に係る発明の特徴構成は、請求項１に係る発明において、前記保持部が、前記釣り用装着体に吸着する吸盤である点にあり、その作用効果は次の通りである。
【００１４】
〔作用効果〕
保持部が吸盤であるので、吸盤が吸着する相手側となる釣り用装着体側に特別の機構を必要とせず、平坦な面があればその平坦面に吸着させることができる。
【発明を実施するための最良の形態】
【００１５】
〔第１実施形態〕
穂先竿の先端に釣り糸連結具（図示せず）を有する釣り竿としての鮎竿Ａの尻栓１の構造について説明する。図１に示すように、元竿２の後端に樹脂製の尻リング３を固着するとともに、尻リング３で元上５の竿元側端部を内嵌保持すべく構成する。尻リング３の竿元側には座ゴム６を装着して、元上５の竿元端を受止る構成を採るとともに、座ゴム６の竿元側に尻栓１を配置し、尻栓１を尻リング３に螺着して鮎竿Ａを構成してある。
【００１６】
図１に示すように、尻栓１は、アルミ等の金属製の硬質本体１Ａとその硬質本体１Ａの後面に固着してあるゴム等の軟質被覆体１Ｂとでなる。硬質本体１Ａに雄ネジ１ａを形成し、その雄ネジ１ａを尻リング３の内周面に刻設された雌ネジ３ａに螺合させて、尻栓１を尻リング３に螺着可能に構成してある。
【００１７】
鮎竿Ａを釣り人に繋ぎ止める保持部Ｂについて説明する。図１に示すように、尻栓１における竿の軸線Ｘ上に、硬質本体１Ａと軟質被覆体１Ｂとを貫通する状態で貫通孔を形成するとともに、貫通孔を通して外部より尻リング３の内部空間に達する状態で、紐状体７の基端部７Ａを設け、基端部７Ａの結び目を設けて尻栓１に抜け止め固定してある。
【００１８】
一方、尻栓１の軟質被覆体１Ｂより外方に突出した部分においてはリング部7Ｂが形成してあり、このリング部７Ｂを、鮎竿Ａを釣り人に繋ぎ止める保持部Ｂに構成してある。
紐状体７としては、材質として、布、合成樹脂製のものが使用できる。
【００１９】
このリング部７Ｂに連結される被保持部Ｃは、釣り人が身に付ける釣り用装着体としての釣り用ベスト８に設けてある。図６に示すように、釣り用ベスト８は、ファスナー８ａによって開閉可能な左右の前身頃部分８Ａ、８Ｂに夫々４つの収納部８Ｃを形成するとともに、左右の前身頃部分８Ａ、８Ｂに亘ってファスナー８ａを設け、そのファスナー８ａを跨る状態で布製の連結係止片８ｂが設けてある。一方、左側の胸部分には、金属製のリング体８ｃが取り付けてある。
【００２０】
以上のような釣り用ベスト８の構成において、図示してはいないが、連結係止片８ｂの先端部分を右前身頃部分８Ｂから取り外し、取り外した連結係止片８ｂの先端部を尻栓１から延出されている紐状体７のリング部７Ｂの孔を貫通させて係止することによって、紐状体７を連結係止片８ｂに係止できる。この連結係止片８ｂを被保持部Ｃと称する。
これによって、尻栓１に連結されている紐状体７を釣り用ベスト８に連結することができるので、鮎竿Ａを釣り人が自身の手で保持することなく、その鮎竿Ａを手元に保持することができる。
【００２１】
このような構成を採ることによって、釣り人が川の流れの中に立ち込んで釣りを行っている場合に、鮎竿Ａをその穂先側が流れの下手側に向く状態で釣り用ベスト８に係止できるので、鮎竿Ａを釣り人が保持する姿勢を採る必要がなく、両手を自由にした状態で、囮や仕掛けの取り換えを容易に行うことができる。
【００２２】
〔第２実施形態〕
鮎竿Ａを釣り人に繋ぎ止める保持部Ｂについての別構造について説明する。図２に示すように、尻栓１における硬質本体１Ａから軟質被覆体１Ｂを貫通する状態で、金属製の板状ブラケット１Ｃを突出させる。板状ブラケット１Ｃの先端部に係止孔１ｂを形成する。この板状ブラケット１Ｃに形成した係止孔１ｂを保持部Ｂと称する。
【００２３】
この係止孔１ｂに前記釣り用ベスト８に取り付けた連結係止片８ｂの先端部を貫通させて、その先端部を釣り用ベスト８に止め付けることによって、尻栓１を釣り用ベスト８に止め付けることができ、鮎竿Ａを流れに任せた状態で手元に引き寄せておくことができる。
【００２４】
〔第３実施形態〕
鮎竿Ａを釣り人に繋ぎ止める保持部Ｂについての別構造を説明する。図３に示すように、尻栓１における硬質本体１Ａから軟質被覆体１Ｂを貫通する状態で、合成樹脂製の吸盤９を突出させる。この吸盤９は放物線状の吸着面９Ａを備え、釣り用ベスト８の左右前身頃部分８Ａ、８Ｂの平坦面に吸着させることによって、鮎竿Ａを釣り用ベスト８に係止することができる。ここに、吸盤９を、鮎竿Ａを釣り人に繋ぎ止める保持部Ｂと称する。又、吸盤９が吸着されることなる、釣り用ベスト８の左右前身頃部分８Ａ、８Ｂの平坦面を被保持部Ｃと称する。
【００２５】
〔第４実施形態〕
図４に示すように、尻栓１における硬質本体１Ａと軟質被覆体１Ｂとで挟み込む状態に磁石１０を配置し、両者で磁石１０を保持する。
一方、図６に示すように、釣り用ベスト８の左前身頃部分８Ａの収納部８Ｃの一つに、磁石１１を取り付ける。つまり、収納部８Ｃの外周面にゴム製の壁１２ａで仕切った磁石収納部１２Ａを形成するとともに、磁石収納部１２Ａを覆う蓋体１２Ｂを設け、蓋体１２Ｂの下端部を収納部８Ｃに縫い付け固定するとともに、縫い付けられた下端部を中心に上方に揺動自在である。磁石収納部１２Ａの上方と蓋体１２Ｂの裏面に互いに係合離脱自在な面ファスナー部材１２ｂ、１２ｂを装着してある。
これによって、磁石１１を釣り用ベスト８に取り付けることができる。
【００２６】
したがって、磁石１０を収納した尻栓１の部分を、磁石１１を収納した左前身頃部分８Ａに近接させることによって、磁石１０，１１の吸引力によって尻栓１が釣り用ベスト８に磁着されることとなる。ここに磁石１０を、鮎竿Ａを釣り人に繋ぎ止める保持部Ｂと称する。磁石１１を、釣り用装着体に形成した被保持部Ｃと称する。
尚、磁石１０，１１をゴムに磁石を粉末にしたものを混合してシート状にした板状磁石を使用してもよい。この板状磁石を使用すると、直接、鮎竿Ａや釣り用ベスト８の表面に接着剤を介して取り付けることができる。
【００２７】
〔第５実施形態〕
鮎竿Ａを釣り人に繋ぎ止める保持部Ｂについて説明する。図５（イ）（ロ）に示すように、鉤状の係止片１３の基端部１３Ａを縦向き軸芯回りで左右揺動自在に支持台１３Ｂに枢支するとともに、支持台１３Ｂの背面側に取付用ネジ部１３Ｃを延出し、この取付用ネジ部１３Ｃを尻栓１の硬質本体１Ａに螺着することによって、鉤状の係止片１３を尻栓１に取り付け固定する。
【００２８】
鉤状の係止片１３は縦向き軸芯回りで左右に揺動可能であり、軟質被覆体１Ｂより外方に突出する作用状態と、左側方に倒伏する非作用状態とに切り換えることができ、軟質被覆体１Ｂに鉤状の係止片１３を非作用状態に切り換えることを許容する切込凹入部１ｄを形成してある。
【００２９】
これに対して、図６に示すように、釣り用ベスト８には、左側の胸部分に、金属製のリング体８ｃが取り付けてある。このリング体８ｃに対して尻栓１に取り付けた鉤状の係止片１３を引掛け係止することによって、鮎竿Ａを釣り用ベスト８に取付係止することができる。
ここに、鉤状の係止片１３を、鮎竿Ａを釣り人に繋ぎ止める保持部Ｂと称する。また、釣り用ベスト８の左側の胸部分に取り付けられている金属製のリング体８ｃを、被保持部Ｃと称する。
【００３０】
〔別実施形態〕
（１）  図２に示すように、尻栓１の構造として、尻リング３に螺合する硬質本体１Ａとその硬質本体１Ａを覆う軟質被覆体１Ｂとで構成したが、硬質本体１Ａと軟質被覆体１Ｂとに相当する部分１Ｃを硬質ゴム等で一体形成し、後端部に係止孔１ｂを形成する構成を採ることができる。
（２）  尻栓１を係止する対象となる釣り用装着物として釣り用ベスト８を選択したが、釣り用ベルト１４を対象としてもよい。この場合には、図６に示すように、鉤状ホック１５を釣り用ベルト１４に係止固定する構成を採ってもよい。この場合には、尻栓１の後端部に設けた係止孔１ｂを引掛け係止することによって鮎竿Ａを釣り人に係止固定することができる。
ここに、鉤状ホック１５を釣り用装着体に形成した被保持部Ｃと称する。
（３）  上記した実施形態では尻栓１に保持部Ｂを設ける形態を説明したが、図７で示すように、元竿２の竿元側端部に保持部Ｂを設けることでもよい。つまり、元竿２にベルト１６を巻回し、そのベルト１６に係止リング１６Ａを取り付けて、釣り用ベスト８等から延出された紐１７等を連結して、鮎竿Ａを釣り人に保持する構成を採ってもよい。
（４）  上記実施形態では、鮎竿Ａに本願発明を適用する形態について説明してきたが、穂先竿に釣り糸連結具を備える渓流竿やハエ用竿にも適用してもよい。
【図面の簡単な説明】
【００３１】
【図１】尻栓に紐状体を取り付けた状態を示す縦断側面図
【図２】尻栓から係止片を突出させた状態を示す縦断側面図
【図３】尻栓から吸盤を突出させた状態を示す縦断側面図
【図４】尻栓に磁石を収納した状態を示す縦断側面図
【図５】（イ）尻栓から鉤状の係止片を突出させた状態を示す縦断側面図、（ロ）鉤状の係止片を倒伏させた状態を示す尻栓の背面図
【図６】釣り用ベストを示す正面図
【図７】元竿の竿元側端部に保持部を形成した状態を示す斜視図
【符号の説明】
【００３２】
１Ａ            硬質本体
１Ｂ            軟質被覆体
１ｂ            係止孔
８，１４        釣り用装着体（釣り用ベスト、釣り用ベルト）
９              吸盤
Ａ              鮎竿
Ｂ              保持部
Ｃ              被保持部
【図１】
2008011817.tif 000003
【図２】
2008011817.tif 000004
【図３】
2008011817.tif 000005
【図４】
2008011817.tif 000006
【図５】
2008011817.tif 000007
【図６】
2008011817.tif 000008
【図７】
2008011817.tif 000009